(57)【特許請求の範囲】
【請求項１】
機能部品（１４）を引出し延出ガイド（３）のレール（５）に取り付けるための装置（２０）であって、本装置は、第１の取り付け要素（１１）と、少なくとも１つの第２の取り付け要素（１２）とを含んでおり、前記第１及び第２の取り付け要素（１１、１２）の一方は、前記レール（５）の前端領域に、他方は、前記レール（５）の後端領域に配置されており、前記レール（５）上のそれらの取り付け位置で、前記第１及び第２の取り付け要素（１１、１２）を互いに接続すると共に、これらの取り付け要素（１１、１２）が互いに向けて引っ張られるように作用する少なくとも１つのテンション装置（１３）が設けられていることを特徴とする装置。
【請求項２】
前記テンション装置（１３）は、少なくとも１つの締め付け帯（１３ａ）を有することを特徴とする請求項１記載の装置。
【請求項３】
前記締め付け帯（１３ａ）は、前記第１及び第２の取り付け要素（１１、１２）の少なくとも１つに掛留可能なバンドの形態をなすことを特徴とする請求項２記載の装置。
【請求項４】
前記第１及び第２の取り付け要素（１１、１２）は、前記レール（５）の１端部にそれぞれ押し付けられることを特徴とする請求項１から３のいずれかに記載の装置。
【請求項５】
本装置は、プラスチック製であることを特徴とする請求項１から４のいずれかに記載の装置。
【請求項６】
家具枠体（４）に固定される枠体レール（５）と、該枠体レール（５）に対して可動に取り付けられる少なくとも１本の引出しレール（６）とを含んでいる引出し延出ガイド（３）において、
少なくとも１つの機能部分（１４）が、請求項１から５のいずれかに記載の装置（２０）によって、前記枠体レール（５）に接続されることを特徴とする引出し延出ガイド。
【請求項７】
前記機能部分（１４）は、前記装置（２０）の前記取り付け要素（１１、１２）の少なくとも１つに解放可能に接続されることを特徴とする請求項６記載の引出し延出ガイド。
【請求項８】
前記機能部分（１４）は、前記引出し延出ガイド（３）の前記引出しレール（６）の運動を制御するための部材であることを特徴とする請求項６または７記載の引出し延出ガイド。
【請求項９】
前記機能部分（１４）は、歯型ラック（１５）を有することを特徴とする請求項６から８のいずれかに記載の引出し延出ガイド。
【請求項１０】
前記機能部分（１４）は、前記引出しレール（６）を閉端位置から開位置にまで排出させるための排出装置（１８）を有することを特徴とする請求項６から９のいずれかに記載の引出し延出ガイド。
【請求項１１】
前記機能部分（１４）は、前記引出しレール（６）を閉運動の終了時に完全閉位置にまで引き込むことができる引き込み装置（２４）を有することを特徴とする請求項６から１０のいずれかに記載の引出し延出ガイド。
【請求項１２】
前記機能部分（１４）は、前記引出しレール（６）の運動を制動するための制動装置（２５）を有することを特徴とする請求項６から１１のいずれかに記載の引出し延出ガイド。
【発明の詳細な説明】
【技術分野】
【０００１】
本発明は、機能部品を引出しの引出しガイドのレールへ取り付けるための装置に関する。
【背景技術】
【０００２】
この装置は、第１の取り付け要素と、少なくとも１つの第２の取り付け要素とを含んでおり、これら取り付け要素の一方は、レールの前端領域に、他方は、レールの後端領域に配置される。
【０００３】
本発明は、引出し延出ガイドにも関する。特に歯型ラック、引出しの引き込み装置、タッチ‐ラッチ装置および/またはレール運動を制動するための制動装置である機能部品は、以下で解説する装置によって引出し延出ガイドのレールに固定される。
【０００４】
機能部品の引出し延出ガイドへの装着は、例えば、特許文献１にて解説されている。この文献では、機能部品は、特に作用力ロック関係でランナーレールの前端と後端に配置された端部停止部の形態である。この場合、機能部品を、端部当接部および閉位置のためのロック手段として、とりわけ引出しの連結と固定のために設計できる。ランナーレールの２つの端部領域に配置される端部停止部は、特に大きい作用力が作用しているとき、特に機能部品によってレール運動のための作用力が延出ガイドに伝達されているときにレールから外れる可能性がある。
【０００５】
引出し延出ガイドへの機能部品の取り付けは、特許文献２、特許文献３、特許文献４および特許文献５でも解説されている。これらの構造でも、作用力が作用すると、機能部品が引出し延出ガイドのレールから容易に外れる可能性があるという深刻なリスクが関与する。
【先行技術文献】
【特許文献】
【０００６】
【特許文献１】西独国実用新案出願公開第２０２００８０１２９９６Ｕ１号明細書
【特許文献２】米国特許第７０７７４８８Ｂ２号明細書
【特許文献３】西独国実用新案出願公開第２０２００８００８１２１Ｕ１号明細書
【特許文献４】欧州特許出願公開第２１６８４５５Ａ１号明細書
【特許文献５】西独国実用新案出願公開第２０２０４７２４Ｕ１号明細書
【発明の概要】
【発明が解決しようとする課題】
【０００７】
したがって、本発明の目的は、本明細書の当初部分で述べた一般的な装置の提案であり、この装置では、引出し延出ガイドの機能部品は、迅速、便利および確実に引出し延出ガイドのレールに固定される。
【課題を解決するための手段】
【０００８】
本発明によれば、この目的は、請求項１の特徴によって達成される。本発明のさらなる有利な形態は、従属請求項に述べられている。
【０００９】
本発明によれば、レール上のそれらの取り付け位置で少なくとも２つの取り付け要素を互いに接続し、互いに引っ張らせる少なくとも１つのテンション装置が設けられる。
【００１０】
それら２つの取り付け要素は、先ず、予備取り付け作業を困難にするような作用力ロック接続を有さず、引出し延出ガイドのレール上に無力状態で予備配置が可能である。２つの取り付け要素がレール上に配置されると、それらはテンション装置によって接続され、取り付け位置で互いに引っ張られる。このように、レールへの取り付け要素の固定が迅速および簡単に実行でき、同時に取り付け要素は、レールからの不都合な脱落に対して適切に防護される。
【００１１】
本発明の一実施態様では、テンション装置は、少なくとも１つの締め付け帯（好適にはフレキシブルなプラスチック材を含んでいる）を有しており、それによって２つの取り付け要素は互いに接続され、引っ張られる。締め付け帯は、特に結束バンドの形態であるラッチバンドの形態でよく、２つの取り付け要素は、レール上のそれらの取り付け位置で締め付け帯によって強固に結ばれる。好適には自己ラッチ式のラッチ帯を引っ張ることで、２つの取り付け要素の少なくとも一方に対して段階的に掛留でき、締め付け帯を締めることによって、２つの取り付け要素をレールに締め付け式に固定できる。取り付け要素は、レールへの接続のためのポジティブ状態のロック固定オプションも有する。したがって、２つの取り付け要素は、予備配置の目的のため、レールの端部にそれぞれ押し込まれるように形状化された部分であり、配置されると、取り付け要素は、テンション装置によって互いに引っ張られる。
【００１２】
このようにして固定された取り付け要素は、特に、例えば取り付け状態では両側の側壁にて家具枠体に固定されている２つの別々の引出し延出ガイドのレール運動を同期化させるための同期化手段などの機能部品の取り付け（後付けにも）に適している。本発明の実施態様では、機能部品は２つの取り付け要素に解放可能に接続できる歯型ラックを有している。機能部品を２つの取り付け部分の少なくとも一方に解放可能に接続するため、特にスナップ式接続具である解放可能な固定装置を利用することが可能である。
【００１３】
機能部品は、レールに対する取り付け要素の安定した構造のおかげで、相対的に大きな作用力を伝えるのに適している。歯型ラックによって、例えば第１の引出し延出ガイドの運動を第２の（別体の）引出し延出ガイドの運動と同期化させることが可能である。したがって、第１の引出し延出ガイドのレール運動は、ラックと噛合う歯車と、ねじれシャフトとによって第２の引出し延出ガイドのレール運動と同期化できる。
【００１４】
本発明の一実施態様では、機能部品は、閉端位置から開位置へと引出し延出ガイドを排出させるための排出装置を有する。そのような排出装置は、タッチ‐ラッチ装置として知られており、閉端位置からの引出しの排出は、引出しに押込みおよび/または引っ張り力を人力で適用することによって実行できる。
【００１５】
あるいは、または追加的に、機能部品は、引出し延出ガイドの可動レールを、閉運動の終わりに完全閉位置に引き込むことができる引き込み装置を有する。そのようなバネ補助された自動引き込み装置は、既に多くの形態が知られており、引出しはバネ式の引っ張り部材によって閉端位置に引っ張られる。
【００１６】
さらに機能部品は、特に回転ダンパまたはリニアダンパの形態の流体ダンパである制動装置を有することができ、完全閉位置への引出しの最後の閉移動がその制動装置によって制動される。
【００１７】
本発明による引出し延出ガイドは、家具枠体に固定される枠体レールと、それに対して可動に支持される少なくとも１本の引出しレールを有しており、少なくとも１つの機能部品が解説したような装置によって、枠体レールまたは引出しレールに接続されている。
【００１８】
本発明のさらなる詳細と特徴について、後述する詳細な説明によって解説する。
【図面の簡単な説明】
【００１９】
【図１】図１は、家具の斜視図であり、引出しは延出ガイドによって家具枠体に対して移動可能に支持されている。
【図２ａ】図２ａは、引出し運動を引出しガイドと同期化するためのねじりシャフトを備えた延出ガイドの斜視図であり、延出ガイドはレールに固定される取り付け要素を備えており、下方から見た斜視図で示されている。
【図２ｂ】図２ｂは、引出し運動を引出しガイドと同期化するためのねじりシャフトを備えた延出ガイドの斜視図であり、延出ガイドはレールに固定される取り付け要素を備えており、下方から見た斜視図で示されている。
【図２ｃ】図２ｃは、延出ガイドを下方から見た斜視図であり、第２の取り付け要素は歯型ラックの形態である機能部分に固定される。
【図２ｄ】図２ｄは、延出ガイドを下方から見た斜視図であり、２つの取り付け要素はレールに対して固定されている。
【図３】図３は、延出ガイドに固定された引出しを下方から見た斜視図である。
【図４ａ】図４ａは、引出し延出ガイドの概略的平面図であり、機能部分はタッチラッチ装置、バネ補助引き込み装置および/またはレール運動を制動するための制動装置を有する。
【図４ｂ】図４ｂは、引出し延出ガイドの概略的平面図であり、機能部分はタッチラッチ装置、バネ補助引き込み装置および/またはレール運動を制動するための制動装置を有する。
【発明を実施するための形態】
【００２０】
図１は、家具１の斜視図であり、引出し２は、引出し延出ガイド３によって、家具枠体に対して移動式に取り付けられている。引出し延出ガイド３は、家具枠体４に固定される枠体レール５と、枠体レール５に対して移動可能であり、引出し２に接続される少なくとも１本の引出しレール６とを有している。家具枠体４に対して引出し２を完全に延出させるよう、オプションで枠体レール５と引出しレール６との間に移動式に支持された中央レールを配置することもできる。
【００２１】
図２ａは、本発明の利用可能領域を示している。それ自体知られているが、引出し延出ガイド３のレール運動の同期化のために、引出し延出ガイド３の運動を、家具枠体４に反対関係で取り付けられた引出し延出ガイドと同期化させるねじりシャフトが使用されている。図示の実施例では、回転可能に取り付けられた歯車１０を備えた取り付けブラケット８が引出しレール６の後方領域に固定されている。取り付けブラケット８の上の歯車１０は、ねじれシャフト７に接続できるシャフトジャーナル９に動的に連結されている。引出し６の運動は、この方法で、家具枠体４に反対関係で配置された引出し延出ガイドの引出しレールの運動と同期化される。しかしながら、枠体レール５に固定される歯型ラックが２つの引出し延出ガイド３間の運動の伝達のために必要である。歯型ラックの固定については、以降の図面に関してさらに詳細に解説する。
【００２２】
図２ｂは、延出ガイド３を下方から見た斜視図であり、取り付けブラケット８は、既に引出しレール６の後端に接続されている。その予備配置のために枠体レール５の後端に押し付けられる第１の取り付け要素１１が示されている。取り付け要素１１は、プラスチック材の成型部品の形態で作られている。
【００２３】
図２ｃは、延出ガイド３を下方から見た斜視図であり、機能部分１４を取り付けるための装置２０が示されている。既に枠体レール５の後端へ押し付けられている取り付け要素１１に加えて、装置２０は、枠体レール５の前端に押し付けられ、長形の締め付け帯１３ａの形態のテンション装置１３に接続される第２の取り付け要素１２を含んでいる。締め付け帯１３ａは、自動掛留式帯（特にケーブル帯の形態）の形態でよく、第１の取り付け要素１１を通過し、締め付け帯１３ａは、引っ張られているときに取り付け要素１１に随時掛け留めできる。歯型ラック１５の形態の機能部分１４は、第２の取り付け要素１２に接続されるか、または固定装置（ここでは図示せず）によって、そこに解放可能に接続できる。歯型ラック１５は、第１の取り付け要素１１上に配置されたガイド１６を通過することができ、この場合、２つの取り付け要素１１と１２は、歯型ラック１５も２つの取り付け要素１１と１２に対して固定されるよう、締め付け帯１３ａの自由端１７を人力で引っ張ることによって、枠体レール５上のそれらの取り付け位置で互いに締め付けられる。
【００２４】
図２ｄは、延出ガイド３を下方から見た斜視図であり、２つの取り付け要素１１と１２は、枠体レール５上の取り付け要素１１と１２の取り付け位置で締め付け帯１３ａを締め付けることによって互いに締め付けられる。２つの取り付け要素１１と１２が締め付けられた後、締め付け帯１３ａは、取り付け要素１１を越えて突出する。締め付け帯１３ａは、ハサミまたはナイフで取り付け要素１１と同一長となる長さに切断できる。歯型ラック１５も、取り付けブラケット８の後側とほぼ同一長で終結するよう、同様に切断できる。図２ｄでは、取り付けブラケット８の歯車１０は、引き続き装着される歯型ラック１５に沿って回転する。
【００２５】
図３は、延出ガイド３に接続された引出し２を下方から見た斜視図である。知られた形態で、引出し２は、引出し底部２ａ、前壁２ｂ、側壁２ｃおよび引出し後壁２ｄを有する。枠体レール５に配置された取り付け要素１１と１２が示されており、これらは締め付け帯１３ａを引っ張ることで互いに締め付けられる。引出しレール６の後端に固定された取り付けブラケット８は、引出し２の開閉時に静的な歯型ラック１５に沿って走行する歯車１０を有する。歯車１０の回転運動は、ねじれシャフト７によって、反対側の引出し延出ガイドの歯車の回転運動と同期化される。
【００２６】
図４ａは、枠体レール５と、それに対して移動可能な少なくとも１本の引出しレール６とを備えた引出し延出ガイド３の概略的平面図である。この図は、機能部品１４を取り付けるための装置２０を概略的に示しており、装置２０は、レールの長手方向に互いに離れて設けられた２つの取り付け要素１１と１２によって枠体レール５に固定されている。図示の実施例では、機能部品１４は、排出装置１８（特にタッチラッチ装置）を有しており、それによって少なくとも１本の引出しレール６が閉端位置から開位置へと移動可能である。排出装置１８は、引出しレール６を開いたときに、引出しレール６または引出しレール６上に配置された当接部３０と協調する押し込み係合要素１９を含んでいる。排出装置１８は、引出し２を人力で引っ張り、および/または押し込むことによって起動され、引出しレール６は、当接部３０に作用する係合要素１９を押し込むことによって、排出方向（矢印２２の方向）の閉端位置から開位置へと移動できる。さらに、連結要素２３により、引出しレール６を閉運動の終了時に完全閉位置にまで引き込むバネ補助された引き込み装置２４が設けられている。この完全閉位置への引き込み運動は、制動装置２５（例えばピストンシリンダ装置）によって制動できる。
【００２７】
図４ｂは、枠体レール５と、それに対して移動可能な少なくとも１本の引出しレール６とを備えた延出ガイド３の概略的平面図である。図４ｂに示すように、機能部品１４は、バネ補助された引き込み装置２４と、そのバネ補助された引き込み運動を制動するための制動装置２５（特に流体ダンパ）を有する。図示の実施例では、引き込み装置２４と制動装置２５とは、２つの取り付け要素１１と１２を備えた装置２０によって枠体レール５に固定される。引出しレール６の閉運動の終了時に、連結要素２３が引き込み装置２４に連結され、それによって引出しレール６は、閉位置にまで引き込まれ、その引き込み運動は制動装置２５によって制動される。
【００２８】
本発明は、解説した実施例に限定されず、「特許請求の範囲」内の技術的変形例を含む。上、下、横などの説明で採用した位置関係は、直接説明したものや、図面に示されたものに関し、全体的な位置の変化に応じて適宜新しい位置へと変更されるべきものである。図示の実施例では、機能部品１４の枠体レール５への取り付けがそれぞれ示されているが、機能部品１４は、解説した装置２０によって、引出しレール６および/または引出し延出ガイド３の中央レールに固定されることも可能である。
【図１】
0005855673.tif 000002
【図２ａ】
0005855673.tif 000003
【図２ｂ】
0005855673.tif 000004
【図２ｃ】
0005855673.tif 000005
【図２ｄ】
0005855673.tif 000006
【図３】
0005855673.tif 000007
【図４ａ】
0005855673.tif 000008
【図４ｂ】
0005855673.tif 000009